(57)【特許請求の範囲】
【請求項１】
衣類若しくはバッグ類やアクセサリー類などの持ち運び物に設けた開口部を介して衣類内側若しくは持ち運び物内側に外側から見えないように袋体を収納配設すると共に、この袋体を開口部を介して外側へ引き出し露出自在に構成し、この袋体に虫を出し入れ自在に収納する取り出し口を設け、この袋体を、この袋体内に収納した虫を視認できる素材で形成し且つ通気孔を設けて虫かごとして機能するように構成したことを特徴とする虫かご。
【請求項２】
衣服若しくはバッグ類やアクセサリー類などの持ち運び物に設けたポケット形成開口部を介して衣類内側若しくは持ち運び物内側に外側から見えないように袋体を収納配設すると共に、この袋体をポケット形成開口部を介して外側へ引き出し露出自在に構成し、この袋体に虫を収納する取り出し口を設け、この袋体を、この袋体内に収納した虫を視認できる素材で形成し且つ通気孔を設けて虫かごとして機能するように構成したことを特徴とする虫かご。
【請求項３】
衣類若しくはバッグ類やアクセサリー類などの持ち運び物に設けたポケット形成開口部を介して衣類内側若しくは持ち運び物内側に外側から見えないように袋体を収納配設してポケット部を形成し、このポケット部を構成する前記袋体をポケット形成開口部を介して外側へ引き出し露出自在に構成し、この袋体に虫を収納する取り出し口を設け、この袋体を、この袋体内に収納した虫を視認できる素材で形成し且つ通気孔を設けて虫かごとして機能するように構成したことを特徴とする虫かご。
【請求項４】
前記袋体に設けた取り出し口を開閉する開閉機構を備えたことを特徴とする請求項１〜３のいずれか１項に記載の虫かご。
【請求項５】
前記衣類をスラックスとしたことを特徴とする請求項１〜４のいずれか１項に記載の虫かご。
【請求項６】
前記衣類をスラックスとし、このスラックスの上端部に設けたポケット形成開口部を介してスラックス内側に外側から見えないように袋体を収納配設してポケット部を形成し、このポケット部を構成する前記袋体をポケット形成開口部を介して外側へ引き出し露出自在に構成し、この袋体に虫を収納する取り出し口を設け、この袋体を、この袋体内に収納した虫を視認できる素材で形成し且つ通気孔を設けて虫かごとして機能するように構成したことを特徴とする請求項１〜４のいずれか１項に記載の虫かご。
【発明の詳細な説明】
【０００１】
【発明の属する技術分野】
本発明は、衣類に設ける虫かごに関するものである。
【０００２】
【従来の技術及び発明が解決しようとする課題】
例えば、トレッキングなどのアウトドアレジャーを楽しんでいると、不意にカブトムシやクガタムシなどの珍しい昆虫を発見する機会に恵まれることがあるが、元々昆虫採集を目的としている訳ではないために虫かごを携帯しているはずもなく、折角見つけてもこれらの昆虫の採集は非常に難しい。
【０００３】
本発明者は、このような現状から、衣類若しくはバッグ類やアクセサリー類などの持ち運び物に、外側へ引き出すことで虫かごとして機能し、一時的に虫を採集しておくことが可能な袋体を設ければ、不意に珍しい昆虫を見つけた際に虫かごがなくとも昆虫を採集することができ、且つ普段（虫かご不使用時）は袋体を衣類内側若しくは持ち運び物内側に外側から見えないように収納配設することができるように構成すれば、普通の衣類若しくは持ち運び物として何の体裁不良も生じず良好な体裁が確保されるのではないかと着眼して画期的な本発明の虫かごを完成させた。
【０００４】
【課題を解決するための手段】
添付図面を参照して本発明の要旨を説明する。
【０００５】
衣類１若しくはバッグ類やアクセサリー類などの持ち運び物10に設けた開口部２を介して衣類１内側若しくは持ち運び物10内側に外側から見えないように袋体３を収納配設すると共に、この袋体３を開口部２を介して外側へ引き出し露出自在に構成し、この袋体３に虫Ａを出し入れ自在に収納する取り出し口４を設け、この袋体３を、この袋体３内に収納した虫Ａを視認できる素材で形成し且つ通気孔５を設けて虫かごとして機能するように構成したことを特徴とする虫かごに係るものである。
【０００６】
また、衣服１若しくはバッグ類やアクセサリー類などの持ち運び物10に設けたポケット形成開口部２Ａを介して衣類１内側若しくは持ち運び物10内側に外側から見えないように袋体３を収納配設すると共に、この袋体３をポケット形成開口部２Ａを介して外側へ引き出し露出自在に構成し、この袋体３に虫Ａを収納する取り出し口４を設け、この袋体３を、この袋体３内に収納した虫Ａを視認できる素材で形成し且つ通気孔５を設けて虫かごとして機能するように構成したことを特徴とする虫かごに係るものである。
【０００７】
また、衣類１若しくはバッグ類やアクセサリー類などの持ち運び物10に設けたポケット形成開口部２Ａを介して衣類１内側若しくは持ち運び物10内側に外側から見えないように袋体３を収納配設してポケット部６を形成し、このポケット部６を構成する前記袋体３をポケット形成開口部２Ａを介して外側へ引き出し露出自在に構成し、この袋体３に虫Ａを収納する取り出し口４を設け、この袋体３を、この袋体３内に収納した虫Ａを視認できる素材で形成し且つ通気孔５を設けて虫かごとして機能するように構成したことを特徴とする虫かごに係るものである。
【０００８】
また、前記袋体３に設けた取り出し口４を開閉する開閉機構７を備えたことを特徴とする請求項１〜３のいずれか１項に記載の虫かごに係るものである。
【０００９】
また、前記衣類１をスラックス１Ａとしたことを特徴とする請求項１〜４のいずれか１項に記載の虫かごに係るものである。
【００１０】
また、前記衣類１をスラックス１Ａとし、このスラックス１Ａの上端部に設けたポケット形成開口部２Ａを介してスラックス１Ａ内側に外側から見えないように袋体３を収納配設してポケット部６を形成し、このポケット部６を構成する前記袋体３をポケット形成開口部２Ａを介して外側へ引き出し露出自在に構成し、この袋体３に虫Ａを収納する取り出し口４を設け、この袋体３を、この袋体３内に収納した虫Ａを視認できる素材で形成し且つ通気孔５を設けて虫かごとして機能するように構成したことを特徴とする請求項１〜４のいずれか１項に記載の虫かごに係るものである。
【００１１】
【発明の実施の形態】
好適と考える本発明の実施の形態（発明をどのように実施するか）を、図面に基づいてその作用効果を示して簡単に説明する。
【００１２】
衣服１若しくはバッグ類やアクセサリー類などの持ち運び物10に設けた開口部２若しくはポケット形成開口部２Ａを介して袋体３を引き出し露出させると、この袋体３の取り出し口４から袋体３内に虫Ａを出し入れ自在に収納することができる。また、この袋体３は、この袋体３内に収納した虫Ａを視認でき、且つ通気孔５により通気性を有し収納した虫Ａが生息可能であるため、一時的な虫かごとして機能することになる。
【００１３】
従って、例えばトレッキングの際に、本発明の虫かごを備えた衣類１を着用若しくは本発明の虫かごを備えた持ち運び物10を携帯していれば、不意にカブトムシやクガタムシなどの虫Ａを発見した場合に、虫かごを携帯していなくとも、開口部２若しくはポケット形成開口部２Ａから袋体３を引き出すことで、この袋体３を虫かごとして使用して一時的に虫を採集しておくことが可能となる極めて実用性に秀れた画期的な衣類１若しくは持ち運び物10に設ける虫かごとなる。
【００１４】
また、この袋体３は、開口部２若しくはポケット形成開口部２Ａから衣類１の外側に引き出した際に虫かごとして機能するから、普段は開口部２若しくはポケット形成開口部２Ａを介して衣類１内側若しくは持ち運び物10内側に外側から見えないように袋体３を収納配設しておくことで、衣類１は外観上何ら普通の衣類１と変わりがなく、またバッグ類やアクセサリー類などの持ち運び物10も何ら普通の持ち運び物10と変わりがなく、体裁良好となる。
【００１５】
尚、例えば、衣類１内側若しくは持ち運び物10内側に袋体３を収納配設したままでこの袋体３内に虫Ａを収納することもできると考えられるが、この場合には、うっかり袋体３内に虫Ａを収納したことを忘れてそのまま放置したり虫Ａを潰してしまったりする恐れがあるし、特に衣類１に袋体３を設けた場合には、袋体３内の虫Ａが衣類１の内側で動くことで衣類１着用者が痛みを感じてしまったりするなどの不都合が生じる恐れがあるため、本発明では、袋体３を開口部２若しくはポケット形成開口部２Ａから衣類１若しくは持ち運び物10の外側に引き出した際に虫かごとして機能する構成とし、上記のような不都合を生じないことにしている。
【００１６】
また、例えば、衣類１若しくはバッグ類やアクセサリー類などの持ち運び物10に設けたポケット形成開口部２Ａを介して衣類１内側若しくは持ち運び物10内側に外側から見えないように袋体３を収納配設すると共に、この袋体３をポケット形成開口部２Ａを介して外側へ引き出し露出自在に構成し、この袋体３に虫Ａを収納する取り出し口４を設け、この袋体３を、この袋体３内に収納した虫Ａを視認できる素材で形成し且つ通気孔５を設けて虫かごとして機能するように構成すれば、前述の作用効果に加えて、衣類１若しくは持ち運び物10に設けられるポケット形成開口部２Ａを利用して虫かごとして機能する袋体３を設けることができるため、新たに袋体３用の出し入れ用の開口部を衣類に形成する必要がなく、極めて容易に本発明の衣類１若しくは持ち運び物10に設ける虫かごを実現可能となる。
【００１７】
また、例えば、衣類１若しくはバッグ類やアクセサリー類などの持ち運び物10に設けたポケット形成開口部２Ａを介して衣類１内側若しくは持ち運び物10内側に外側から見えないように袋体３を収納配設してポケット部６を形成し、このポケット部６を構成する前記袋体３をポケット形成開口部２Ａを介して外側へ引き出し露出自在に構成し、この袋体３に虫Ａを収納する取り出し口４を設け、この袋体３を、この袋体３内に収納した虫Ａを視認できる素材で形成し且つ通気孔５を設けて虫かごとして機能するように構成すれば、前述の作用効果に加えて、衣類１若しくは持ち運び物10のポケット部６を構成する既存のポケット袋を袋体３として利用するから、従来の衣類１若しくは持ち運び物10にポケット袋を作成するのと同じ工程で容易に虫かごとして機能する袋体３を衣類１に形成可能となるし、虫かごとして使用しないときには袋体３をポケット袋として使用できるので普通のポケットとしても使用可能となるなど極めて量産性，実用性に秀れることとなる。
【００１８】
また、例えば、前記袋体３に設けた取り出し口４を開閉する開閉機構７を備える構成とすれば、この開閉機構７により取り出し口４を閉塞して袋体３内に採集した虫Ａを確実に逃げないようにすることができるため、一層実用的となる。
【００１９】
また、前記衣類１をスラックス１Ａとすれば、虫Ａが多く生息し、且つトレッキングやキャンプなどのアウトドアレジャーが盛んな夏場などの熱い時期においては、上着類はポケットのない薄地のものが好まれ、ポケットのある上着（例えばジャンパーなど）は着用されないことが多いが、スラックス１Ａは季節を問わず確実に着用されるものであるために、一層最適な構成となる。
【００２０】
また、前記衣類１をスラックス１Ａとし、このスラックス１Ａの上端部に設けたポケット形成開口部２Ａを介してスラックス１Ａ内側に外側から見えないように袋体３を収納配設してポケット部６を形成し、このポケット部６を構成する前記袋体３をポケット形成開口部２Ａを介して外側へ引き出し露出自在に構成し、この袋体３に虫Ａを収納する取り出し口４を設け、この袋体３を、この袋体３内に収納した虫Ａを視認できる素材で形成し且つ通気孔５を設けて虫かごとして機能するように構成すれば、前述の作用効果に加えて、スラックス１Ａのポケット部６を構成する既存のポケット袋を袋体３として利用するから、従来のスラックスにポケット袋を作成するのと同じ工程で虫かごとして機能する袋体３をスラックス１Ａに形成可能となるし、虫かごとして使用しないときには袋体３をポケット袋として使用できるので普通のポケットとしても使用可能となるなど極めて量産性に秀れ、実用性に秀れることとなる。
【００２１】
【実施例】
本発明の具体的な実施例について図面に基づいて説明する。
【００２２】
図１〜図４は第一実施例、図５は第二実施例、図６は第三実施例を示している。
【００２３】
先ず、第一実施例について説明すると、本実施例では、衣類１としてのスラックス１Ａに本発明を適用した場合である。尚、本実施例では、図１に示すように、長ズボンタイプのスラックス１Ａを採用した場合を示しているが、請求項５，６中の「スラックス」なる記載は、半ズボンタイプのものも含む意味合いで用いているものであり、この本実施例と同様の構造で半ズボンにも本発明を適用できる。
【００２４】
本実施例は、このスラックス１Ａの上端部に設けた開口部２としてのポケット形成開口部２Ａを介してスラックス１Ａ内側に外側から見えないように袋体３を収納配設してポケット部６を形成し、このポケット部６を構成する前記袋体３をポケット形成開口部２Ａを介して外側へ引き出し露出自在に構成している。
【００２５】
具体的に説明すると、公知のスラックス１Ａの上部左右部に形成されるポケット部６の開口部のうち、図１における右側のポケットの開口部を前記ポケット形成開口部２Ａとし、このポケット部６を構成するポケット袋を前記袋体３に構成している。尚、この袋体３は、通常ポケット袋として機能する。即ち、このポケット部６は従来通りポケットとしても機能する構成としている。
【００２６】
また、本実施例では、この袋体３に虫Ａ（図面ではクワガタムシ）を収納する取り出し口４を設け、この袋体３を、この袋体３内に収納した虫Ａを視認できる素材で形成し且つ通気孔５を設けて虫かごとして機能するように構成している。
【００２７】
具体的に説明すると、図２，図３に示すように袋体３の前記ポケット形成開口部２Ａ付近にストレート形状の開口穴を設けてこの開口穴を取り出し口４としている。
【００２８】
また、この袋体３は、メッシュ素材で構成することで多数の前記通気孔５を備えた構成とし、且つこの袋体３内に収納した虫Ａが透けて見えるように構成している。
【００２９】
また、本実施例では、前記袋体３に設けた取り出し口４を開閉する開閉機構７を備えている。
【００３０】
具体的に説明すると、図２，図４に示すように前記取り出し口４より図２中におけるやや下方位置に、この取り出し口４と略平行にして袋体３の全周に紐通し穴８を形成し、この紐通し穴８に輪状に結んだゴム紐９を通すと共に、このゴム紐９を一部紐通し穴８より露出させ、図３に示すようにこの露出しているゴム紐９を引っ張ることで袋体３の紐通し穴８形成部位が絞られ、これによって袋体３内の虫Ａが取り出し口４に至ることが阻止される構成としている。
【００３１】
即ち、本実施例では、取り出し口４自体が開閉する構造でなく、この取り出し口４下方の近傍部分が巾着袋の開閉構造と略同様の開閉構造により開閉する構成の開閉機構７を採用している。尚、請求項１中の「取り出し口４を開閉する開閉機構７」なる記載は、例えば、取り出し口４にチャックなどを設けてこの取り出し口４自体が開閉するような構造の開閉機構はもちろん、本実施例のように取り出し口４の近傍部分が閉塞することで取り出し口４から袋体３内の虫Ａが逃げられなくなって実質的に取り出し口４が閉塞するような構造の開閉機構も含む意味合いで用いているものである。
【００３２】
また、本実施例で採用したこの開閉機構７の構成は、簡易に設計実現可能な構成であり、量産性に秀れ安価に構成可能となる。
【００３３】
次に、第二実施例について説明すると、本実施例では、衣類１としてのジャンパー１Ｂに本発明を適用した場合である。
【００３４】
具体的に説明すると、公知のジャンパー１Ｂの下部左右部に設けられたポケットのうち、図面右側のポケットの開口部をポケット形成開口部２Ａとし、このポケット形成開口部２Ａを介してジャンパー１Ｂ内側に外側から見えないように袋体３を収納配設してポケット部６を構成している。
【００３５】
即ち、ジャンパー１Ｂのポケット部６のポケット袋を前記第一実施例で説明した袋体３により構成し、この袋体３をポケット部６から引き出し露出させると、この袋体３が虫かごとして機能するように構成した場合を示している。
【００３６】
尚、その他の詳細な構成は、前記第一実施例と同様である。
【００３７】
次に、第三実施例について説明すると、本実施例では、持ち運び物10としてリュックサック10に本発明を適用した場合である。
【００３８】
具体的に説明すると、公知のリュックサック10の表面に設けられているポケットの開口部をポケット形成開口部２Ａとし、このポケット形成開口部２Ａを介してリュックサック10内側に外側から見えないように袋体３を収納配設してポケット部６を構成している。
【００３９】
即ち、リュックサック10のポケット部６のポケット袋を前記第一実施例で説明した袋体３により構成し、この袋体３をポケット部６から引き出し露出させると、この袋体３が虫かごとして機能するように構成した場合を示している。
【００４０】
その他の詳細な構成は、前記第一実施例と同様である。
【００４１】
尚、本発明は、本実施例に限られるものではなく、各構成要件の具体的構成は適宜設計し得るものである。
【００４２】
即ち、第一，第二実施例では、衣類１としてスラックス１Ａとジャンパー１Ｂを採用した場合を示したが、その他の衣類１を採用しても良い。
【００４３】
また、第三実施例では、持ち運び物10としてリュックサック10を採用した場合を示したが、例えばウエストポーチやカバンや手提げ袋やその他の持ち運び物10を採用しても良い。
【００４４】
また、第一〜第三実施例では、いずれもポケット部６に袋体３を設けたが、ポケット以外の部分にポケットとして使用しない開口部２を形成して、この開口部２に袋体３を設ける構成としても良い。
【００４５】
また、第一〜第三実施例では、いずれもポケット部６のポケット袋を袋体３としたが、ポケット袋の他にポケット内に袋体３を設ける構成としても良い。
【００４６】
また、本実施例では、開閉機構７として巾着袋の開閉構造と同様のものを採用したが、その他の開閉構造としても良い。また、この開閉機構７は、虫Ａが取り出し口４から逃げない程度の閉塞状態を実現できるものであれば良い。
【００４７】
【発明の効果】
本発明は上述のように構成したから、例えばトレッキングの際に、本発明の虫かごを備えた衣類を着用若しくは本発明の虫かごを備えた持ち運び物を携帯していれば、不意にカブトムシやクガタムシなどの虫を発見した場合でも、開口部ポケット形成開口部から袋体を引き出すことでこの袋体を虫かごとして使用して一時的に虫を採集しておくことが可能となり、しかもこの袋体は、開口部若しくはポケット形成開口部から衣類若しくは持ち運び物の外側に引き出した際に虫かごとして機能するから、普段は開口部若しくはポケット形成開口部を介して衣類内側若しくは持ち運び物内側に外側から見えないように袋体を収納配設しておくことで衣類若しくは持ち運び物の外観は何ら普通の衣類や持ち運び物と変わりがなく、体裁良好であるなど極めて実用性に秀れた画期的な衣類若しくは持ち運び物に設ける虫かごとなる。
【００４８】
また、請求項２記載の発明においては、前記作用効果に加えて、衣類若しくは持ち運び物に設けられるポケット形成開口部を利用して虫かごとして機能する袋体を設けることができるため、新たに袋体用の出し入れ用の開口部を衣類若しくは持ち運び物に形成する必要がなく、極めて容易に本発明の虫かごを実現可能となる一層実用性に秀れた構成の衣類若しくは持ち運び物に設ける虫かごとなる。
【００４９】
また、請求項３記載の発明においては、前述の作用効果に加えて、衣類若しくは持ち運び物のポケット部を構成する既存のポケット袋を袋体として利用するから、従来の衣類若しくは持ち運び物にポケット袋を作成するのと同じ工程で虫かごとして機能する袋体を衣類若しくは持ち運び物に形成できるし、普段はこの袋体がポケット袋として機能するため、極めて製作容易で、量産性に秀れ安価な製品を提供可能となり、且つ従来通りのポケットの実用性も確保される一層実用性に秀れた構成の衣類若しくは持ち運び物に設ける虫かごとなる。
【００５０】
また、請求項４記載の発明においては、開閉機構により取り出し口を閉塞して袋体内に採集した虫を確実に逃げないようにすることができる一層実用性に秀れた構成の虫かごとなる。
【００５１】
また、請求項５記載の発明においては、虫が多く生息し、且つトレッキングやキャンプなどのアウトドアレジャーが盛んな夏場などの熱い時期においては、上着類はポケットのない薄地のものが好まれ、ポケットのある上着（例えばジャンパーなど）は着用されないことが多いが、スラックスは季節を問わず確実に着用されるものであるために、この虫かごが極めて有効に使用される最適な構成の虫かごとなる。
【００５２】
また、請求項６記載の発明においては、請求項５の発明の作用効果に加えて、スラックスのポケット部を構成する既存のポケット袋を袋体として利用するから、従来のスラックスにポケット袋を作成するのと同じ工程で容易に虫かごとして機能する袋体をスラックスに形成可能となるし、虫かごとして使用しないときには袋体をポケット袋として使用できるので普通のポケットとしても使用可能となるなど極めて量産性に秀れ実用性に秀れた構成の虫かごとなる。
【図面の簡単な説明】
【図１】第一実施例の袋体の収納状態を示す説明図である。
【図２】第一実施例の使用状態における袋体内に虫を収納した状態を示す説明図である。
【図３】第一実施例の使用状態における開閉機構により取り出し口を閉塞した状態を示す説明図である。
【図４】第一実施例の袋体収納状態における要部を概略的に示す拡大説明図である。
【図５】第二実施例の袋体収納状態を示す説明図である。
【図６】第三実施例の袋体収納状態を示す説明図である。
【符号の説明】
１  衣類
１Ａ  スラックス
２  開口部
２Ａ  ポケット形成開口部
３  袋体
４  取り出し口
５  通気孔
６  ポケット部
７  開閉機構
10  持ち運び物
Ａ  虫
【図１】
0003796433.tif 000002
【図２】
0003796433.tif 000003
【図３】
0003796433.tif 000004
【図４】
0003796433.tif 000005
【図５】
0003796433.tif 000006
【図６】
0003796433.tif 000007